(57)【要約】  固定ワイヤレス・ネットワーク局は、ｗａｋｅ−ｏｎ−ＷＬＡＮ機能性を使用して起動される。ｗａｋｅ−ｏｎ−ＷＬＡＮは、ワイヤレス・ネットワーク内のページング局によって提供される。ページングは、複数のアクセス・ポイントにわたって移動局をサポートしてもよい。ページングは、低減されたオーバーヘッドで固定ノードをサポートすることもできる。ｗａｋｅ−ｏｎ−ＷＬＡＮは、トラフィック表示マップ（ＴＩＭ）内にｗａｋｅ−ｏｎイベントを示すことによってアイドル・モードの固定局にも提供される。ｗａｋｅ−ｏｎイベントは、局がアクセス・ポイントに関連付けられ、またはそれとの関連付けを解除するときに生じ得る。ｗａｋｅ−ｏｎイベントを受信すると、局は、必要であれば、ＡＰに関連付け、または再び関連付ける。
2010520653.tif 000002
【特許請求の範囲】
【請求項１】
局からアイドル・モード要求を受信する段階と、
前記局との関連付けの失効以降も前記局の関連付けＩＤを保存する段階と、
前記局がアイドル・モードを終了すべきことを示すために、前記関連付けＩＤに対応するビットをトラフィック表示マップ内に設定する段階と、
を含むことを特徴とする方法。
【請求項２】
前記局からアイドル・モード要求を受信する段階は、ｗａｋｅ−ｏｎ間隔フィールドを受信する段階を含むことを特徴とする請求項１記載の方法。
【請求項３】
アイドル・モード応答を送信する段階をさらに含むことを特徴とする請求項１記載の方法。
【請求項４】
前記アイドル・モード応答は、ｗａｋｅ−ｏｎ間隔フィールドを含むことを特徴とする請求項３記載の方法。
【請求項５】
前記局をアイドル・モード局として追跡する段階をさらに含むことを特徴とする請求項１記載の方法。
【請求項６】
前記アイドル・モード局からアイドル・モード終了要求を受信する段階をさらに含むことを特徴とする請求項５記載の方法。
【請求項７】
前記局からアイドル・モード終了要求の受信を待機する段階と、
前記アイドル・モード終了要求が受信されない場合、前記関連付けＩＤを無効にする段階と、
をさらに含むことを特徴とする請求項５記載の方法。
【請求項８】
アクセス・ポイントにアイドル・モード要求を送信する段階と、
前記アクセス・ポイントからアイドル・モード応答を受信する段階と、
アイドル・モードに入る段階と、
前記アクセス・ポイントとの関連付けが失効することを可能にする段階と、
ｗａｋｅ−ｏｎイベントがあるかトラフィック表示マップをチェックするために周期的に目覚める段階と、
を含むことを特徴とする方法。
【請求項９】
前記アクセス・ポイントからアイドル・モード応答を受信する段階は、ｗａｋｅ−ｏｎ間隔ごとに目覚める段階を含むことを特徴とする請求項８記載の方法。
【請求項１０】
トラフィック表示マップをチェックするために周期的に目覚める段階は、ｗａｋｅ−ｏｎ間隔ごとに目覚める段階を含むことを特徴とする請求項９記載の方法。
【請求項１１】
トラフィック表示マップをチェックするために周期的に目覚める段階は、失効した関連付けに対応するビットがあるかチェックする段階を含むことを特徴とする請求項１０記載の方法。
【請求項１２】
ｗａｋｅ−ｏｎイベントが受信される場合、前記アクセス・ポイントに再び関連付ける段階をさらに含むことを特徴とする請求項８記載の方法。
【請求項１３】
前記アクセス・ポイントにアイドル・モード終了要求を送信する段階をさらに含むことを特徴とする請求項１２記載の方法。
【請求項１４】
命令を保持するために適応した機械読取り可能な媒体を含む製品であって、前記命令がアクセスされたとき、機械は、
局からアイドル・モード要求を受信する段階と、
前記局との関連付けの失効以降も前記局の関連付けＩＤを保存する段階と、
前記局がアイドル・モードを終了すべきことを示すために、前記関連付けＩＤに対応するビットをトラフィック表示マップ内に設定する段階と、
を実行することを特徴とする製品。
【請求項１５】
前記局からアイドル・モード要求を受信する段階は、ｗａｋｅ−ｏｎ間隔フィールドを受信する段階を含むことを特徴とする請求項１４記載の製品。
【請求項１６】
前記命令がアクセスされたときに、前記マシンは、アイドル・モード応答を送信する段階をさらに実行することを特徴とする請求項１４記載の製品。
【請求項１７】
前記アイドル・モード応答は、ｗａｋｅ−ｏｎ間隔フィールドを含むことを特徴とする請求項１６記載の製品。
【請求項１８】
アンテナと、
前記アンテナに結合された物理層と、
イーサネット（登録商標）・インターフェイスと、
アイドル・モード局の失効した関連付けＩＤを保存し、ｗａｋｅ−ｏｎイベントをトリガするためにトラフィック表示マップ内に対応するビットを設定するためのメディア・アクセス制御層と、
を含むことを特徴とする電子システム。
【請求項１９】
前記メディア・アクセス制御層は、前記アイドル・モード局とｗａｋｅ−ｏｎ間隔を交渉するように構成されることを特徴とする請求項１８記載の電子システム。
【請求項２０】
前記メディア・アクセス制御層は、前記アイドル・モード局が前記ｗａｋｅ−ｏｎイベントに応答しない場合は前記失効した関連付けＩＤを無効にするように構成されることを特徴とする請求項１８記載の電子システム。
【発明の詳細な説明】
【技術分野】
【０００１】
本発明は、一般には、ワイヤレス・ネットワークに関し、より詳しくは、固定ノードを含むワイヤレス・ネットワークに関する。
【背景技術】
【０００２】
今日のデスクトップおよびラップトップ・コンピュータは、ワイヤレス・ネットワーク内でネットワーク・ノードすなわち「局」として機能するワイヤレス・ネットワーク・インターフェイス・カード（ＷＮＩＣ：ｗｉｒｅｌｅｓｓ  ｎｅｔｗｏｒｋ  ｉｎｔｅｒｆａｃｅ  ｃａｒｄ）を含み得る。一般に、これらのコンピュータは、「アウェイク」電源状態、または「スリープ」電源状態がある。アウェイク電源状態では、ＷＮＩＣとコンピュータの残りの部分（ホスト・システム）の両方が電源投入されており、動作モードにある。スリープ電源状態では、状態情報がディスク／ＲＡＭにサスペンドされた状態でホスト・システムへの電源が遮断され、ＷＮＩＣの電源は切られる。アウェイク状態と比べて、スリープ状態は、電力消費を著しく低減させることができるが、しかし、コンピュータは、ＷＮＩＣの電源が切られるので、スリープ状態にあるときにはワイヤレス・ネットワーク・トラフィックを受信することができない。
【０００３】
有線ネットワーク内の一部のネットワーク・ノードは、有線ネットワークを介して既知のパケット・パターンを受信するときにノードがスリープ状態からアウェイク状態に切り換わることを可能にするための「ｗａｋｅ−ｏｎ−ＬＡＮ」機構を含む。「すべてワイヤレスの」企業集団が発展するにつれて、企業は、ワイヤレス・ネットワーク内にｗａｋｅ−ｏｎ−ＬＡＮ機能性を実装したいと望む。残念ながら、既知のｗａｋｅ−ｏｎ−ＬＡＮ機構は、ワイヤレス・ネットワーク内では、様々な理由により問題となる。たとえば、ＷＮＩＣは、システムがスリープ状態にある間、ＷＮＩＣ内に格納された鍵をリフレッシュすることができないので鍵が失効していることがあるという理由により、パケットを復号できないことがある。また、たとえば、局とアクセス・ポイントの関連付けは、ＷＮＩＣがスリープしている間に失われることがある。
【図面の簡単な説明】
【０００４】
【図１】ワイヤレス・ネットワークの図である。
【図２】ワイヤレス・ネットワーク内のメッセージ・フローを示す図である。
【図３】モバイル・ページングの実施形態の例示的なページング発見メッセージを示す図である。
【図４】ワイヤレス・ネットワーク内のメッセージ・フローを示す図である。
【図５】例示的なページング構成通信を示す図である。
【図６】ワイヤレス・ネットワーク内のメッセージ・フローを示す図である。
【図７】ワイヤレス・ネットワーク内のメッセージ・フローを示す図である。
【図８】ワイヤレス・ネットワーク内のメッセージ・フローを示す図である。
【図９】本発明の様々な実施形態によるフローチャートである。
【図１０】固定ページング実施形態の例示的なページング発見メッセージを示す図である。
【図１１】例示的なページング構成通信を示す図である。
【図１２】方法実施形態のフローチャートである。
【図１３】方法実施形態のフローチャートである。
【図１４】本発明の様々な実施形態によるシステム図である。
【発明を実施するための形態】
【０００５】
以下の詳細な説明では、本発明が実施され得る具体的な実施形態を例として示す添付の図面を参照する。これらの実施形態について、当業者が本発明を実施するために十分詳細に述べられる。本発明の様々な実施形態は、それぞれ異なるが、必ずしも相互排除的ではないことを理解されたい。たとえば、一実施形態に関連して本明細書に述べられた特定の特徴、構造または特性は、本発明の思想および範囲から逸脱せずに他の実施形態内で実施され得る。さらに、開示された各実施形態内の個々の要素の位置または配置は、本発明の思想および範囲から逸脱せずに修正され得ることを理解されたい。したがって、下記の詳細な説明は、限定的な意味で解釈すべきではなく、本発明の範囲は、特許請求の範囲によって権利が及ぶ均等物の全範囲と共に、適切に解釈された添付の特許請求の範囲によって定義される。図面では、同じ数字は、複数の図を通して同じまたは類似の機能性に及ぶ。
【０００６】
本発明の様々な実施形態は、ページング表示メッセージ（ＰＩＭ：ｐａｇｉｎｇ  ｉｎｄｉｃａｔｉｏｎ  ｍｅｓｓａｇｅ）および／またはトラフィック表示マップ（ＴＩＭ：ｔｒａｆｆｉｃ  ｉｎｄｉｃａｔｉｏｎ  ｍａｐ）を使用したワイヤレス・ネットワーク局のページングによるｗａｋｅ−ｏｎ−ＷＬＡＮ機能性を提供する。このｗａｋｅ−ｏｎ−ＷＬＡＮ機能性は、ある期間の間、局がアイドル状態であった後にネットワーク・リソースがワイヤレス・ネットワーク局に到達することを可能にする。様々な実施形態は、局がアクセス・ポイントに関連付けられない場合もｗａｋｅ−ｏｎ−ＷＬＡＮ機能性を提供する。ｗａｋｅ−ｏｎ−ＷＬＡＮ機能性の例示的な応用例には、ＩＴの夜間更新、自宅から作業する間の企業コンピュータへの遠隔アクセス、およびアイドル状態のマルチメディア・サーバへのビデオ・ストリーミングの開始が含まれる。本明細書の以下の部分では、ＰＩＭおよび／またはＴＩＭを使用した移動および固定のワイヤレス・ネットワーク・ノードのページングによって提供されるｗａｋｅ−ｏｎ−ＷＬＡＮ機能性について述べる。
【０００７】
ＰＩＭを使用した移動ワイヤレスＳＴＡのｗａｋｅ−ｏｎ−ＷＬＡＮ
移動ネットワーク・ノード局（ＳＴＡ）は、アクセス・ポイント（ＡＰ：ａｃｃｅｓｓ  ｐｏｉｎｔ）から別のアクセス・ポイントにローミングし得る。この節では、ＡＰ間で移動し得る移動局のページングについて述べる。一般に、ネットワーク内の局（ＳＴＡ：ｓｔａｔｉｏｎ）は、「ページング・モード」と呼ばれるアイドル状態に入り、呼び出されるときにアイドル状態から出る。ＳＴＡは、ページング表示メッセージ（ＰＩＭ）を含むページング・メッセージがブロードキャストされるページング間隔（ページング・コントローラによって知らされる）の前に「目覚め」、着信パケットがあるとき、ページング・コントローラによって呼び出される準備が整っている。一部の実施形態では、ＳＴＡは、ページング・モードに入るとき、すべてのＡＰとの関連付けを解除する（ｄｉｓａｓｓｏｃｉａｔｅ）。呼び出されるとき、ＳＴＡは、最も前に関連付けられたアクセス・ポイントに再び関連付けし、または新しいアクセス・ポイントに関連付ける。
【０００８】
図１を参照すると、本発明の様々な実施形態によるネットワーク２００のページング・アーキテクチュアが概略的に示されている。ページング・アーキテクチュアは、たとえば、第１のページング領域２０２と、第２のページング領域２０４と、ページング・グループ２０６と、ページング・コントローラ２０８とを含む。ネットワーク２００は、本発明の範囲から逸脱せずに、任意の数のページング領域およびページング・グループを含んでもよい。
【０００９】
一部の実施形態では、ネットワーク２００は、ワイヤレス・ローカル・エリア・ネットワーク（ＷＬＡＮ：ｗｉｒｅｌｅｓｓ  ｌｏｃａｌ  ａｒｅａ  ｎｅｔｗｏｒｋ）である。たとえば、移動局２１２またはアクセス・ポイント２１０の１またはそれ以上は、ＡＮＳＩ／ＩＥＥＥ規格８０２．１１、１９９９年版など、ワイヤレス・ネットワーク規格に従って動作し得るが、これは、本発明の制約ではない。本明細書では、用語「８０２．１１」は、それだけに限らないが１９９９年版を含めて、過去、現在または将来のいずれかのＩＥＥＥ  ８０２．１１規格を指す。
【００１０】
ページング領域は、１またはそれ以上のＡＰ  ２１０を含む。ページング領域は、一意のページング領域識別（ＩＤ）を有し、それによって、ＳＴＡ  ２１２は、それが関連付けられるページング領域を識別することを可能にする。
【００１１】
ページング・グループは、ページング領域内にあり、ＳＴＡに近いＡＰのリストを含む。本発明の例示的な一実施形態では、ページング・グループは、ＩＥＥＥ  ８０２．１１Ｋ（２００４年）に定義された近隣レポート（Ｎｅｉｇｈｂｏｒ  Ｒｅｐｏｒｔ）と同じである。ページング・グループは、それが１またはそれ以上のページング領域内にあるように、複数のページング領域に重なってもよい。
【００１２】
ページング・コントローラは、位置更新などのページング機能性の管理、ならびにページング要求への応答および／またはＰＩＭを含むページング・メッセージのブロードキャストを行う責任を担う。ページング・コントローラは、位置サーバ（ＧＰＳなど）、および／または着信パケットをバッファリングし、ページング・コントローラからのページング・メッセージを構成することができるワイヤレス・ルータと同じ場所に置かれてもよい。
【００１３】
ページング・プロトコルは、本発明の様々な実施形態に従って定義される。ページング・プロトコルは、複数のアクセス・ポイントを含むワイヤレス・ネットワーク内のページング機構を可能にするメッセージを提供する。様々なメッセージの例には、ページング発見メッセージ、ページング登録メッセージ、構成メッセージ、位置更新メッセージ、ページング・コマンド・メッセージ、ページング・メッセージおよびＰＩＭが含まれる。
【００１４】
ページング・プロキシもまた、本発明の様々な実施形態に従って定義される。ページング・プロキシは、ページング・コントローラとＳＴＡとの間でページング・プロトコル・メッセージを中継する責任を担う。ページング・プロキシは、それがページング・モードにあるときにＳＴＡのための着信パケットをバッファリングし、所与のＳＴＡについてページング・コントローラからＰＩＭをトリガする責任も担う。
【００１５】
図２を参照して、本発明の様々な実施形態による、ページング発見メッセージの一例、およびメッセージ交換フローについて述べられる。ＳＴＡは、少なくとも１つのページング領域を含むネットワークに入り、ページング領域内の１またはそれ以上のＡＰからビーコンを受信する。これらのビーコンは、使用可能なページング機能性について領域内のＳＴＡに知らせるためのページング発見メッセージを含む。
【００１６】
図３は、移動ページング実施形態の例示的なページング発見メッセージを示している。メッセージ３００は、要素ＩＤ  ３０２と、長さフィールド３０４と、ページング・グループＩＤ  ３０６と、ページング間隔３０８と、ＤＰＩＭカウント３１０と、ページング・コントローラＩＤ  ３１２とを含む。要素ＩＤ  ３０２および長さフィールド３０４は、パケット管理用のオーバーヘッド・フィールドである。ページング・グループＩＤ  ３０６は、ブロードキャスト側ＡＰが属するページング・グループを識別し、ページング間隔３０８は、ページング・メッセージが送信される所定の時間間隔である。ＤＰＩＭカウント３１０は、次のＰＩＭがいつ送信されるか識別するカウント値を含み、ページング・コントローラＩＤ  ３１２は、ＡＰが属するページング・グループにサービスするページング・コントローラを識別する。
【００１７】
次に図２に参照して述べると、ＳＴＡは、選択されたＡＰに関連付け要求を送信し、ＡＰは、関連付けを確認の応答を行う。この時点で、ＳＴＡは、この特定のページング領域およびページング・グループに関連付けられ、この時点で、ＡＰは、ＡＰページング・プロキシである。
【００１８】
図４および５を参照して、本発明の様々な実施形態による、構成メッセージの例、およびその送信について述べられる。ページング構成要求／応答サイクルは、ＳＴＡをページング・サービスに登録するために使用され、その後、ＳＴＡは、「アイドル」状態に入れられる。
【００１９】
例示的なページング構成要求は、図５のステップ５１０に示されている。要求５１０は、要素ＩＤ  ５１２と、長さフィールド５１４と、要求タイプ５１６と、ページング・グループＩＤ  ５１８と、ＳＴＡアドレス５２０と、ページング・コントローラＩＤ  ５２２とを含む。要素ＩＤ  ５１２および長さフィールド５１４は、パケット管理用のオーバーヘッド・フィールドである。要求タイプ５１６は、要求のタイプを識別し、ページング・グループＩＤ  ５１８は、ＳＴＡが一部をなすページング・グループを指定する。ＳＴＡアドレス５２０は、要求を送信する局を識別する。一部の実施形態では、ＳＴＡアドレスは、局のメディア・アクセス制御層（ＭＡＣ：ｍｅｄｉａ  ａｃｃｅｓｓ  ｃｏｎｔｒｏｌ  ｌａｙｅｒ）アドレスに対応し得る。ページング・コントローラＩＤ  ５２２は、ＳＴＡがページングを制御すると見込むページング・コントローラを指定する。
【００２０】
例示的なページング構成応答は、図５の５３０に示されている。応答５３０は、要素ＩＤ  ５３２と、長さフィールド５３４と、応答状況５３６と、ページング・グループＩＤ  ５３８と、ページングＩＤ  ５４０と、ＳＴＡアドレス５４２と、ページング・コントローラＩＤ  ５４４とを含む。要素ＩＤ  ５３２および長さフィールド５３４は、パケット管理用のオーバーヘッド・フィールドである。応答状況５３６は、構成要求の状況に関するＡＰおよび／またはページング・コントローラからの情報を提供する。ページング・グループＩＤ  ５３８は、ＳＴＡが割り当てられるページング・グループを指定する。ページングＩＤ  ５４０は、ＳＴＡに割り当てられたＩＤである。ページング操作の間、ページングＩＤは、どのＳＴＡが呼び出されているか指定する。ＳＴＡアドレス５４２は、ＳＴＡアドレス５２０を繰り返し、ページング・コントローラＩＤ  ５４４は、ＳＴＡが割り当てられたページング・コントローラを指定する。
【００２１】
サービスへの登録によりＳＴＡは、図５に示された情報に加えて、以前に提供されていない場合にはページング・メッセージをセキュリティ保護するためのページング鍵情報、およびページング間隔情報を取得してもよい。ＡＰページング・プロキシは、構成メッセージを受信し、ＳＴＡをＡＰページング・プロキシにうまく関連付け、または再び関連付けた後に、この情報をページング・コントローラと交換する。したがって、ＳＴＡは、ページング登録を要求する構成メッセージをＡＰページング・プロキシに送信し、このＡＰページング・プロキシは、それをページング・コントローラに転送する。ページング・コントローラは、ページング応答メッセージをＡＰページング・プロキシに返送し、このＡＰページング・プロキシは、それをＳＴＡに転送する。ここで、ＳＴＡは、ページング・サービス用のページング・コントローラに登録される。
【００２２】
この時点で、ＳＴＡは、本明細書では「ページング・モード」とも呼ばれる「アイドル状態」に置かれる。ＳＴＡは、ＡＰとの関連付けを解除し、ページング・モードの間、低電源状態に入ってもよい。ＳＴＡは、下記にさらに述べられるように、ＰＩＭでページング・メッセージを受信するために目覚める。
【００２３】
図６を参照して、本発明の様々な実施形態による、ページング・コマンド・メッセージのための例示的なメッセージング・フローについて述べられる。ページング・コマンド・メッセージは、ＡＰページング・プロキシによって使用される。ＡＰページング・プロキシは、所与のＳＴＡのページング状態についてページング・コントローラに問い合わせるためにこのメッセージを使用する。ＡＰページング・プロキシは、ＳＴＡを呼び出すためにページング・コントローラからＳＴＡに送信されるページング・メッセージをトリガするために、ページング・コマンド・メッセージを送信することもできる。たとえば、ＳＴＡがページング・モードを終了しており、次のページング間隔を待たずに、それが呼び出されたかどうか確かめたい場合、ＡＰプロキシは、ページング・コマンド・メッセージを送信してもよい。
【００２４】
図７を参照して、本発明の様々な実施形態による、位置更新メッセージおよびメッセージ交換フローの一例について述べられる。ＳＴＡは、その現在のＢＳＳ  ＩＤまたはＢＳＳ  ＩＤセット（近隣レポート内のＡＰのリスト）に関してページング・コントローラに通知するために、こうしたメッセージを使用する。ＳＴＡは、たとえば、現在のＢＳＳ  ＩＤが最後のＢＳＳ  ＩＤと異なると決定するときに位置更新メッセージを送信し、それによって、ＳＴＡが移動しており、新しいページング・グループおよび／または新しいページング領域、さらには新しいネットワークの中にいることを示してもよい。ＳＴＡは、新しいＡＰに関連付け、そのページング・コンテキスト（鍵材料、およびページング・コントローラＩＤも変わっている場合にはページング・コントローラＩＤ）を再構成する。本発明の一実施形態によれば、ページング・コントローラは、ＳＴＡに関連する位置更新タイマを維持する。ＳＴＡが所定の時間量内にページング・コントローラでその位置を更新しない場合、ページング・コントローラは、ＳＴＡがページング領域、またはページング・コントローラによって制御された領域を離れていると見なすので、そのページングＳＴＡリストからＳＴＡを削除する。
【００２５】
図８を参照して、本発明の様々な実施形態による、ページング・メッセージの一例およびメッセージ交換フローについて述べられ得る。ページング・メッセージは、各ページング間隔の間に、ページング・コントローラからＡＰ、またはページング・グループ内の１組のＡＰに送信される。それぞれのページング・メッセージは、パケット内に０またはそれ以上のＰＩＭを含んでもよい。一部の実施形態では、ＰＩＭは、各ビット位置がページングＩＤに対応する、一連のビット位置を含む。対応するビットがＰＩＭ内に設定された局は、呼び出されている。他の実施形態では、ＰＩＭは、ページングＩＤを含むメッセージ、およびＳＴＡについての他の任意のページング必要情報も含む。ページング間隔内にＳＴＡについて２つ以上のＰＩＭがある場合、ページング・コントローラは、それぞれの到着順を有するすべてのＰＩＭを１つのページング・メッセージ内に入れる。ページング・メッセージは、個々のＳＴＡページング鍵で暗号化される。
【００２６】
ＳＴＡは、ページング・モードに入ると、ページング・メッセージを受信するために、ページング・モードを各ページング間隔の前に終了してもよいし、２つ以上のページング間隔が経過した後のページング間隔の前に終了してもよい。終了は、自動的に行われてもよいし、ユーザによってトリガされてもよい。ＳＴＡは、いずれかのＰＩＭを求めて、ＡＰからのページング・メッセージをチェックし、それが確かに存在しており、またはページングされているかどうか判断するためにＰＩＭを復号する。ページング・メッセージがＳＴＡのＰＩＭを含まず、ＳＴＡが呼び出されてないことを示す場合は、それは、ページング・モードに再び入ってもよい。しかし、ページング・メッセージがＳＴＡのいずれかのＰＩＭを含み、それによって、ＳＴＡが確かにページングされたことを示す場合は、ＳＴＡは、変更を保証できるほど十分に移動していないならば、ＡＰページング・プロキシに再び関連付けてもよい。あるいは、ＳＴＡは、新しいＡＰに、必要であれば新しいページング領域に、必要であれば新しいページング・コントローラにも関連付けてもよい。
【００２７】
したがって、図９を参照すると、本発明の様々な実施形態によるページング機構の例示的な操作は、ブロック８００で、ＳＴＡのネットワークに入る手順の間、ＳＴＡは、ワイヤレス・ネットワークがたとえば１またはそれ以上のＡＰからビーコンを受信することによってページング機構をサポートすることを発見することを含み得る。ＳＴＡは、ページング領域およびＡＰページング・プロキシに関連付ける。ブロック８１０で、ＳＴＡは、ページング・コンテキスト（ページング領域鍵、ページングＩＤ、ページング領域ＩＤ、および／またはページング間隔）を構成してもよい。ＳＴＡは、ＡＰと交換された１またはそれ以上の構成メッセージによってページング・コンテキストを構成してもよく、ページング領域、およびページング・グループの一部をなすＡＰページング・プロキシに関連付ける。ＳＴＡは、ページング・モードに入ることを決定してもよく、ブロック８２０で、ＡＰページング・プロキシを介して、構成メッセージまたは位置更新メッセージを送信することによってページング・コントローラに通知してもよい。ＡＰページング・プロキシを介して、ページング・コントローラから戻された肯定応答を受信すると、ＳＴＡは、ブロック８３０で、ページング・モードに入る。一般に、これは、ＭＡＣ層およびＰＨＹ層の電源を切ることを含む。ページングが必要な場合、ページング・コントローラは、ＳＴＡの知られている最後の位置に基づいて、ＳＴＡがそれを通してページングされ得るページング・グループを決定する。ＳＴＡは、ブロック８４０で、ページング間隔の前にページング・モードを終了する。ページング・コントローラは、ブロック８５０で、ページング・グループＡＰのリストの少なくとも１つのＡＰにページング・メッセージを送信する。ページング・グループＡＰは、ページング間隔の間にページング・メッセージを中継しブロードキャストし、ＳＴＡは、受信する。ＳＴＡは、いずれかのＰＩＭを求めてページング・メッセージをチェックし、それを復号して、ブロック８６０で、それが確かにページングされたことを示す、それに宛てられたＰＩＭがあるかどうか確かめる。ブロック８７０〜９００で留意されるように、ＳＴＡは、呼び出されている場合、ＡＰに関連付け、ＳＴＡが変更を保証できるほど十分には移動していない場合は元のＡＰページング・プロキシに、または新しいＡＰに再び関連付け、ネットワーク内の通信を再開する。それは、ページングされていない場合、ページング・モードに再び入ってもよい。
【００２８】
ＰＩＭを使用した固定ワイヤレスＳＴＡのｗａｋｅ−ｏｎ−ＷＬＡＮ
固定ＳＴＡについてのこれらのｗａｋｅ−ｏｎ−ＷＬＡＮ実施形態は、移動局に関して上記に述べられたアイドル・モードおよびページング方式を拡張するものである。一般に、固定ＳＴＡは、２つ以上のアクセス・ポイントにはめったに関連付けない。たとえば、固定ＳＴＡは、ワイヤレス・ネットワーク・インターフェイス・カード（ＷＮＩＣ）を備えたデスクトップ・コンピュータであってもよい。固定ＳＴＡページング実施形態は、ＳＴＡ、ＡＰ、ページング・プロキシおよびページング・コントローラの間の対話を単純にするために、ＳＴＡの固定の性質を利用する。
【００２９】
移動局の実施形態に関して上記に述べられたように、アクセス・ポイントは、ビーコンでページング能力を伝える。一部の実施形態では、アクセス・ポイントは、ページング発見メッセージで、固定ページング・サービスを提供できることを伝えてもよい。
【００３０】
図１０は、固定ページング実施形態の例示的なページング発見メッセージを示している。メッセージ１０００は、要素ＩＤ  １００２と、長さフィールド１００４と、ページング・グループＩＤ  １００６と、ページング間隔１００８と、ＤＰＩＭカウント１０１０と、ページング・コントローラＩＤ  １０１２とを含む。要素ＩＤ  １００２および長さフィールド１００４は、パケット管理用のオーバーヘッド・フィールドである。ページング・グループＩＤ  １００６は、ブロードキャスト側ＡＰが属するページング・グループを識別し、ページング間隔１００８は、ページング・メッセージが送信される所定の時間間隔である。ＤＰＩＭカウント１０１０は、次のＰＩＭがいつ送信されるか識別するカウント値を含み、ページング・コントローラＩＤ  １０１２は、ＡＰが属するページング・グループにサービスするページング・コントローラを識別する。
【００３１】
図１０に示されるように、ビーコンを送信するＡＰによって固定ページングだけがサポートされる場合、特定のフィールドはオプションである。オプションのフィールドは、アクセス・ポイントがページング・コントローラとして機能し得るので、ページング・コントローラＩＤを含む。移動と固定の両方のページング実施形態をサポートする実施形態では、オプションのフィールドが含まれる。固定ページング・サポートを知らせる場合、ＡＰは、ゼロ値を有するページング・グループＩＤを含む。固定ページング・サポートを示すために、０以外の値が使用されてもよい。
【００３２】
出ていくトラフィックがなく、またアクティブなアプリケーションがない場合、固定装置は、アイドル状態（ページング・モード）に入ってもよい。固定ＳＴＡがアイドル状態に入ることを望む場合、ＳＴＡは、図４を参照して上述されたようにページング構成要求を送信するが、要求のフォーマットは、固定ページング・サポートの存在に基づいて異なり得る。同様に、アクセス・ポイントは、要求への応答を提供してもよい。この場合もやはり、要求は、固定ページング・サポートの存在に基づいて、上記で述べられたものとは異なり得る。構成要求および応答の例示的な固定ページング実施形態は、図１１に示されている。
【００３３】
例示的な固定ページング構成要求は、図１の１１１０に示されている。要求１１１０は、要素ＩＤ  １１１２と、長さフィールド１１１４と、要求タイプ１１１６と、ページング・グループＩＤ  １１１８と、ＳＴＡアドレス１１２０と、ページング・コントローラＩＤ  ５２２とを含む。要素ＩＤ  １１１２および長さフィールド１１１４は、パケット管理用のオーバーヘッド・フィールドである。要求タイプ１１１６は、要求のタイプを識別し、ページング・グループＩＤ  １１１８は、ＳＴＡが一部をなすページング・グループを指定する。ＳＴＡアドレス１１２０は、要求を送信する局を識別する。一部の実施形態では、ＳＴＡアドレスは、局のメディア・アクセス制御層（ＭＡＣ：ｍｅｄｉａ  ａｃｃｅｓｓ  ｃｏｎｔｒｏｌ  ｌａｙｅｒ）アドレスに対応し得る。ページング・コントローラＩＤ  １１２２は、ＳＴＡがページングを制御すると見込むページング・コントローラを指定する。
【００３４】
例示的なページング構成応答は、図１１の１１３０に示されている。応答１１３０は、要素ＩＤ  １１３２と、長さフィールド１１３４と、応答状況１１３６と、ページング・グループＩＤ  １１３８と、ページングＩＤ  １１４０と、ＳＴＡアドレス１１４２と、ページング・コントローラＩＤ  １１４４とを含む。要素ＩＤ  １１３２および長さフィールド１１３４は、パケット管理用のオーバーヘッド・フィールドである。応答状況１１３６は、構成要求の状況に関して、ＡＰおよび／またはページング・コントローラから情報を提供する。ページング・グループＩＤ  １１３８は、ＳＴＡが割り当てられるページング・グループを指定する。ページングＩＤ  １１４０は、ＳＴＡに割り当てられたＩＤである。ページング操作の間、ページングＩＤは、どのＳＴＡが呼び出されているか指定する。ＳＴＡアドレス１１４２は、ＳＴＡアドレス１１２０を繰り返し、ページング・コントローラＩＤ  １１４４は、ＳＴＡが割り当てられたページング・コントローラを指定する。
【００３５】
一部の実施形態では、ＳＴＡは、ページング・グループＩＤがゼロに設定された状態の構成要求を送信する。ページング・グループＩＤ値のゼロは、装置が固定であり、ページング・サービスは、関連する現在のＡＰエリア内のＳＴＡを呼び出すことができることを示す。ページング・グループＩＤがゼロに設定される場合、ＳＴＡアドレス・フィールドおよびページング・コントローラＩＤフィールドは、現在のＡＰがページング・サーバとなるので、オプションのフィールドである。
【００３６】
ＡＰ（ページング・サーバ）は、ｗａｋｅ−ｏｎ  ＩＤとして使用されるページングＩＤ  １１４０を割り当てる。ＡＰは、ページングＩＤと、ゼロの値を有するページング・グループＩＤを含む要求側装置に構成応答を送信する。ＳＴＡアドレス・フィールドおよびページング・コントローラＩＤフィールドは、オプションである。
【００３７】
ＳＴＡは、ページング・サービスに登録することによって、図１１に示された情報に加えて、以前に提供されていない場合にはページング・メッセージをセキュリティ保護するためのページング鍵情報、およびページング間隔情報を取得してもよい。ここで、ＳＴＡは、ページング・サービス用のページング・コントローラに登録される。
【００３８】
この時点で、ＳＴＡは、本明細書では「ページング・モード」とも呼ばれるアイドル状態に置かれる。ＳＴＡは、ＡＰとの関連付けを解除し、ページング・モードの間、低電源状態に入ってもよい。ＳＴＡは、下記にさらに述べられるように、ＰＩＭ内のページング・メッセージを受信するために目覚める。
【００３９】
動作において、ＳＴＡは、ＳＴＡへのｗａｋｅ−ｏｎイベントがあるかどうか確かめるために、ページング間隔ごとに目覚めてページング表示メッセージ（ＰＩＭ）をチェックする。ＳＴＡに向けられたトラフィックがある場合、ＡＰは、ページングＩＤを使用して、ＰＩＭによってＳＴＡを起こす。ＡＰは、ＡＰがＳＴＡからアイドル・モード終了要求を受信し、またはページング操作が失敗するまで、アイドル・モードＳＴＡのアイドル状態を維持する。ＡＰがＳＴＡを呼び出し、または起こそうとするが、ＳＴＡがアイドル・モード終了要求フレームで応答しない場合、ＡＰは、ＳＴＡのアイドル・モード状況をもはや維持しないことを決定してもよい。
【００４０】
アイドル・モードＳＴＡがページを受信するとき、アイドル・モードＳＴＡは、ホスト・システムを起こす。アイドル・モードＳＴＡは、アイドル・モードを終了するために、ＡＰにアイドル・モード終了要求を送信する。ＳＴＡの鍵または関連付けが失効する場合、アイドル・モードＳＴＡは、再関連付け要求を送信し、再関連付け要求にアイドル・モード終了要求を載せて運ぶ。
【００４１】
ＴＩＭを使用した固定ワイヤレスＳＴＡのｗａｋｅ−ｏｎ−ＷＬＡＮ
これらの実施形態では、ＳＴＡがアクセス・ポイントにもはや関連付けられない後でもｗａｋｅ−ｏｎ−ＷＬＡＮ機能性を提供するために、トラフィック表示マップ（ＴＩＭ）が使用される。たとえば、以前の関連付けＩＤは、もはや関連付けらない局のために保存され得る。ＡＰが固定ＳＴＡを起こすことを望む場合、トラフィックが待機していることを示すために、適切なビットがＴＩＭ内に設定される。これは、局がアクセス・ポイントに現在関連付けられていようが、それとの関連付けが解除されていようが行われる。固定ＳＴＡを識別するために使用されるＩＤは、ｗａｋｅ−ｏｎ  ＩＤと呼ばれる。ｗａｋｅ−ｏｎ  ＩＤは、局がアイドル・モードに入るときのＳＴＡの現在の関連付けＩＤを含む任意の適切な識別子であり得る。
【００４２】
ＳＴＡは、ｗａｋｅ−ｏｎ間隔ごとに目覚めて、ＳＴＡへのｗａｋｅ−ｏｎイベントがあるかどうか確かめる。ｗａｋｅ−ｏｎ間隔は、複数のビーコン間隔として表現され、比較的大きい数であり得る。たとえば、ＳＴＡが目覚めているときの通常動作において、ＳＴＡは、トラフィックがないかチェックするために、各ＴＩＭをリスンしてもよい。それとは対照的に、ＳＴＡは、アイドル・モードにある場合は、ＴＩＭ内にｗａｋｅ−ｏｎイベントがないかチェックするために、数分または数時間おきにだけ目覚めてもよい。一部の実施形態では、ｗａｋｅ−ｏｎ間隔は、アイドル・モード局（アイドル・モード・リスン間隔）の間、再交渉されたリスン間隔であってもよい。
【００４３】
出ていくトラフィックがなく、またアクティブなアプリケーションがない場合、固定装置は、電力を節約するためにアイドル状態に入ってもよい。ＳＴＡは、関連するＡＰに、示唆されたｗａｋｅ−ｏｎ間隔フィールドを含むアイドル・モード要求を送信する。関連するＡＰは、ＡＰによって推奨されたｗａｋｅ−ｏｎ間隔を含むアイドル・モード応答で応答する。一部の実施形態では、ＡＰはｗａｋｅ−ｏｎ  ＩＤとして現在の関連付けＩＤを使用し、ＳＴＡがアイドル・モードから出るまで、関連付けＩＤをＳＴＡに有効にしておく。ＳＴＡは、アイドル・モード応答を受信すると、アイドル・モードに入る。一部の実施形態では、ＳＴＡは、アイドル・モードに入ると、意図的に関連付けを解除してもよい。他の実施形態では、ＳＴＡは、アイドル・モードに入った直後は関連付けられたままであり得るが、アイドル・モードの間は、関連付けを解除されてもよい。いずれの場合も、ＳＴＡは、アクセス・ポイントに関連付けられていない間、ＴＩＭ内のｗａｋｅ−ｏｎイベントに応答し得る。
【００４４】
ＳＴＡは、ｗａｋｅ−ｏｎ間隔ごとに目覚めて、ＳＴＡへのｗａｋｅ−ｏｎイベントがあるかどうか確かめる。ＳＴＡに向けられたトラフィックがある場合、ＡＰは、（恐らく終了した）関連付けＩＤを使用してＴＩＭによってＳＴＡを起こす。ＡＰは、ＳＴＡからアイドル・モード終了要求を受信するまで、アイドル・モードＳＴＡのアイドル状態を維持する。ＡＰは、ＳＴＡを起こそうとするが、ＳＴＡがアイドル・モード終了要求フレームで応答しない場合、ＳＴＡのためのアイドル・モード状況をもはや維持しないことを決定してもよい。
【００４５】
アイドル・モードＳＴＡがｗａｋｅ−ｏｎイベントを受信するとき、アイドル・モードＳＴＡは、ホスト・システムを起こす。アイドル・モードＳＴＡは、ＡＰにアイドル・モードを終了するように求めるアイドル・モード終了要求を送信する。ＳＴＡの鍵または関連付けが失効する場合、アイドル・モードＳＴＡは、再関連付け要求を送信し、アイドル・モード終了要求を再関連付け要求に載せて運ぶ。
【００４６】
図１２は、アクセス・ポイントによって行われる動作のフローチャートを示している。１２１０で、ＡＰは、局から、アイドル・モード要求を受信する。１２２０で、ＡＰは、ｗａｋｅ−ｏｎ−ＬＡＮ通知のための局の関連付けＩＤを保存する。１２３０で、ＡＰは、局にアイドル・モード応答を送信する。
【００４７】
ＡＰは、局がアイドル・モードに入ることを可能にした後に、保存された関連付けＩＤによりアイドル・モード局を追跡する。ｗａｋｅ−ｏｎイベントの発生の前に、局との関連付けは、失効し得る。ＡＰは、関連付けが失効した後でもアイドル・モード局の追跡を継続する。
【００４８】
１２４０で、ＡＰは、局を起こす必要があるかどうか判断する。そうである場合、ＡＰは、１２５０で、ｗａｋｅ−ｏｎ間隔を待機し、１２６０で、ＴＩＭ内に、保存された関連付けＩＤに対応するビットを設定する。ＡＰが１２７０で局からアイドル・モード終了要求を受信する場合は、１２９０で、ＡＰと局は、通常に通信する。アイドル・モード終了要求が受信されない場合は、ＡＰは、１２８０で、関連付けＩＤを無効にする。１２８０の後、ＡＰは、アイドル・モードにあるとしてその局をもはや追跡しない。
【００４９】
図１３は、局によって行われる動作のフローチャートを示している。１３１０で、局は、ＡＰにアイドル・モード要求を送信し、１３２０で、局は、ＡＰからアイドル・モード応答を受信し、１３３０で、局は、アイドル・モードに入る。上述されたように、アイドル・モード要求およびアイドル・モード応答は、ｗａｋｅ−ｏｎ間隔などのフィールドを含んでもよい。ｗａｋｅ−ｏｎ間隔は、ビーコン間隔の数で表現され、ＡＰとの関連付けが失効するほどの長さを含めて、局が長い期間の間アイドル・モードにとどまることを可能にする大きい数であってもよい。
【００５０】
１３４０で、ＡＰとの関連付けが失効する。このブロックは、関連付けが、ｗａｋｅ−ｏｎイベントの発生の前に局がどれほどの期間アイドル・モードにあるかに応じて失効することも、失効しないこともあることを示すために、点線で示されている。１３５０で、局は、１３１０／１３２０のアイドル・モード要求／応答時の局の関連付けＩＤに対応するＴＩＭビットをチェックするために、ｗａｋｅ−ｏｎ間隔ごとに目覚める。局は、関連付けが失効した場合でもこのＴＩＭビットをチェックする。
【００５１】
ＴＩＭビットが設定されている場合、ｗａｋｅ−ｏｎ−ＷＬＡＮイベントが発生している。１３７０で、局は、必要ならば、ＡＰに再び関連付け、１３８０で、局は、ＡＴにアイドル・モード終了要求を送信する。
【００５２】
ＰＩＭ／ＴＩＭを使用した固定ワイヤレスＳＴＡのｗａｋｅ−ｏｎ−ＷＬＡＮ
本発明の様々な実施形態は、さらなるｗａｋｅ−ｏｎ−ＷＬＡＮ機能性を提供するために、上述されたＰＩＭ実施形態とＴＩＭ実施形態を組み合わせる。たとえば、ＳＴＡは、使用可能な場合に固定ページングに登録してもよく、またはＴＩＭによりアイドル状態から目覚めさせるアイドル・モード要求を送信してもよい。これらの実施形態では、ｗａｋｅ−ｏｎ−ＩＤは、ＰＩＭ内に使用されるページングＩＤ、またはｗａｋｅ−ｏｎ−ＷＬＡＮ機能を提供するためにＴＩＭ内で使用される関連付けＩＤに対応する。たとえば、ｗａｋｅ−ｏｎ−ＩＤは、ＳＴＡがページング・サービスに登録する場合はＳＴＡのページングＩＤとすることができ、またはＳＴＡがページング・サービスに登録しない場合は、ＳＴＡの現在の関連付けＩＤとすることができる。
【００５３】
ＳＴＡは、ｗａｋｅ−ｏｎ間隔ごとに目覚めて、ＳＴＡへのｗａｋｅ−ｏｎイベントがあるかどうか確かめる。ｗａｋｅ−ｏｎ間隔は、複数のビーコン間隔であり、アイドル・モード局のために交渉されたｗａｋｅ−ｏｎ間隔（アイドル・モード・リスン間隔）、またはＳＴＡがページング・サービスに登録している場合にはページング間隔である。
【００５４】
アイドル状態に入るために、ＳＴＡは、関連するＡＰに、オプションのページング要求要素またはｗａｋｅ−ｏｎ間隔フィールドを伴うアイドル・モード要求を送信する。
【００５５】
ページング要求が指定される場合、ＡＰは、ページング・サービス論理エンティティ（ページング・コントローラ）にページング要求を転送する。ページング・サービスは、ｗａｋｅ−ｏｎ  ＩＤとしてページングＩＤを割り当てる。ページング要求が指定されない場合（固定ページングについてのみ）、ＡＰは、現在の関連付けＩＤをｗａｋｅ−ｏｎ  ＩＤとして使用し、ＳＴＡがアイドル・モードから出るまで、関連付けＩＤをＳＴＡに有効のままにしておく。
【００５６】
ＡＰは、アイドル・モード要求内にページング要求が指定されていない場合は、ページングＩＤを含むアイドル・モード応答を要求側ＳＴＡに送信する。そうでない場合は、ＡＰは、ページングＩＤを含まずにアイドル・モード・フレームで応答し、ＡＰは、現在の関連付けＩＤをｗａｋｅ−ｏｎ  ＩＤとして使用し、ＳＴＡがアイドル・モードから出るまで、関連付けＩＤをＳＴＡに有効のままにしておく。
【００５７】
ＳＴＡは、ＳＴＡへのｗａｋｅ−ｏｎイベントがあるかどうか確かめるために、ｗａｋｅ−ｏｎ間隔ごとに目覚める。ＳＴＡは、ページング・サービスに登録している場合は、ページング表示メッセージ（ＰＩＭ）をチェックするために、ページング間隔ごとに目覚める。そうでない場合は、ＳＴＡは、ＴＩＭをチェックするために、ｗａｋｅ−ｏｎ間隔ごとに目覚める。ＳＴＡに宛てられたトラフィックがある場合は、ＡＰは、ＴＩＭ（関連付けＩＤ）またはＰＩＭ（ページングＩＤ）によってＳＴＡを起こす。
【００５８】
ＡＰは、ＡＰがＳＴＡからアイドル・モード終了要求を受信し、またはページング／ｗａｋｅ−ｏｎ操作が失敗するまで、アイドル・モードＳＴＡのアイドル状態を維持する。ＡＰがＳＴＡを呼び出し、または起こそうとするが、ＳＴＡがアイドル・モード終了要求フレームで応答しない場合、ＡＰは、ＳＴＡのアイドル・モード状況をもはや維持しないことを決定してもよい。
【００５９】
アイドル・モードＳＴＡがｗａｋｅ−ｏｎイベントを受信し（または呼び出される）場合、アイドル・モードＳＴＡは、ホスト・システムを起こす。アイドル・モードＳＴＡは、アイドル・モードを終了するためにアイドル・モード終了要求をＡＰに送信する。ＳＴＡの鍵または関連付けが失効している場合は、アイドル・モードＳＴＡは、再関連付け要求を送信し、再関連付け要求に載せてアイドル・モード終了要求を送信する。
【００６０】
図１４は、本発明の様々な実施形態によるシステム図を示している。電子システム１４００は、アンテナ１４１０と、物理層（ＰＨＹ）１４３０と、メディア・アクセス制御（ＭＡＣ）層１４４０と、イーサネット（登録商標）・インターフェイス１４５０と、プロセッサ１４６０と、メモリ１４７０とを含む。一部の実施形態では、電子システム１４００は、固定ページング環境内で動作可能な局であってもよい。他の実施形態では、電子システム１４００は、アクセス・ポイントとの現在の関連付けが失効した後でも、ｗａｋｅ−ｏｎイベントがないかＴＩＭをチェックする局であってもよい。たとえば、電子システム１４００は、ワイヤレス・ネットワーク内で局２１２（図１）として使用されてもよい。一部の実施形態では、電子システム１４０は、アクセス・ポイント２１０（図１）などのアクセス・ポイントであってもよい。これらの実施形態では、電子システム１４００は、固定ページング能力について伝えてもよく、あるいはその局との関連付けが終了した後でもアイドル・モード局を追跡してもよい。
【００６１】
一部の実施形態では、電子システム１４００は、アクセス・ポイントまたは移動局、ならびに他の回路を含むシステムを表し得る。たとえば、一部の実施形態では、電子システム１４００は、周辺装置または集積ユニットとしてアクセス・ポイントまたは移動局を含む、パーソナル・コンピュータ、ワークステーションなどのコンピュータであってもよい。さらに、電子システム１４００は、ネットワーク内で共に結合される一連のアクセス・ポイントを含んでもよい。
【００６２】
動作において、システム１４００は、アンテナ１４１０を使用して信号を送受信し、信号は、図１４に示された様々な要素によって処理される。アンテナ１４１０は、アンテナ・アレーであっても、ＭＩＭＯ処理をサポートする任意のタイプのアンテナ構造であってもよい。システム１４００は、８０２．１１規格など、ワイヤレス・ネットワーク規格に部分的に準拠して動作してもよいし、完全に準拠して動作してもよい。
【００６３】
物理層（ＰＨＹ）１４３０は、ワイヤレス・ネットワークと対話するためにアンテナ１４１０に結合される。ＰＨＹ  １４３０は、無線周波数（ＲＦ）信号の送受信をサポートする回路を含んでもよい。たとえば、一部の実施形態では、ＰＨＹ  １４３０は、信号を受信し、低雑音増幅（ＬＮＡ：ｌｏｗ  ｎｏｉｓｅ  ａｍｐｌｉｆｉｃａｔｉｏｎ）、フィルタリング、周波数変換などの「フロントエンド」処理を実施するためのＲＦ受信機を含む。さらに、一部の実施形態では、ＰＨＹ  １４３０は、変換機構と、ＭＩＭＯ信号処理をサポートするビームフォーミング回路とを含む。また、たとえば一部の実施形態では、ＰＨＹ  １４３０は、周波数アップコンバーションをサポートする回路と、ＲＦ送信機と含む。
【００６４】
メディア・アクセス制御（ＭＡＣ）層１４４０は、任意の適切なメディア・アクセス制御層実装であってもよい。たとえば、ＭＡＣ  ６４０は、ソフトウェア、またはハードウェア、あるいはその組合せで実装されてもよい。一部の実施形態では、ＭＡＣ  １４４０の一部は、ハードウェアで実装されてもよく、一部は、プロセッサ１４６０によって実行されるソフトウェアで実装されてもよい。さらに、ＭＡＣ  １４４０は、プロセッサ１４６０と別個のプロセッサを含んでもよい。
【００６５】
動作において、プロセッサ１４６０は、メモリ１４７０から命令およびデータを読み出し、それに応答して動作を実施する。たとえば、プロセッサ１４６０は、メモリ１４７０から命令にアクセスし、図９、図１２および図１３に示された方法、または他の図を参照して述べられた方法など、本発明の方法実施形態を実施してもよい。プロセッサ１４６０は、それだけに限らないが、マイクロプロセッサ、デジタル信号プロセッサ、マイクロコントローラなど、任意のタイプのプロセッサを表す。
【００６６】
メモリ１４７０は、機械読取り可能な媒体を含む製品を表す。たとえば、メモリ１４７０は、ランダム・アクセス・メモリ（ＲＡＭ：ｒａｎｄｏｍ  ａｃｃｅｓｓ  ｍｅｍｏｒｙ）、ダイナミック・ランダム・アクセス・メモリ（ＤＲＡＭ：ｄｙｎａｍｉｃ  ｒａｎｄｏｍ  ａｃｃｅｓｓ  ｍｅｍｏｒｙ）、スタティック・ランダム・アクセス・メモリ（ＳＲＡＭ：ｓｔａｔｉｃ  ｒａｎｄｏｍ  ａｃｃｅｓｓ  ｍｅｍｏｒｙ）、読取り専用メモリ（ＲＯＭ：ｒｅａｄ  ｏｎｌｙ  ｍｅｍｏｒｙ）、フラッシュ・メモリ、またはプロセッサ１４６０によって読取り可能な媒体を含む他の任意のタイプの製品を表す。メモリ１４７０は、本発明の様々な方法実施形態の実行を実施するための命令を格納してもよい。メモリ１４７０は、ビームフォーミング行列またはビームフォーミング・ベクトルの１またはそれ以上のコードブックを格納することもできる。
【００６７】
図１４にシステム１４００の様々な要素が別個に示されているが、プロセッサ１４６０、メモリ１４７０、イーサネット（登録商標）・インターフェイス１４５０およびＭＡＣ  １４４０の回路類を単一の集積回路に組み合わせる実施形態が存在する。たとえば、メモリ１４７０は、プロセッサ１４６０内の内部記憶装置とすることができ、またはプロセッサ１４６０内のマイクロプログラム制御ストアであってもよい。一部の実施形態では、システム１４００の様々な要素は、別々にパッケージにされ、共通の回路ボードにマウントされてもよい。他の実施形態では、様々な要素は、マルチチップ・モジュールなど、一緒にパッケージされた別個の集積回路ダイであり、さらなる実施形態では、様々な要素は、同じ集積回路ダイ内にある。
【００６８】
イーサネット（登録商標）・インターフェイス１４５０は、電子システム１４００と他のシステムとの間の通信を提供してもよい。たとえば、一部の実施形態では、電子システム１４００は、有線ネットワークと通信し、または他のアクセス・ポイントと通信するためにイーサネット（登録商標）・インターフェイス１４５０を使用するアクセス・ポイントであってもよい。本発明の一部の実施形態は、イーサネット（登録商標）・インターフェイス１４５０を含まない。たとえば、一部の実施形態では、電子システム１４００は、バスまたは他のタイプのポートを使用してコンピュータ（ホスト・システム）またはネットワークと通信するネットワーク・インターフェイス・カード（ＮＩＣ）であってもよい。
【００６９】
本発明について特定の実施形態に関連して述べられているが、当業者には容易に理解されるように、本発明の精神および範囲から逸脱せずに、修正形態および変形形態が用いられてもよい。こうした修正形態および変形形態は、本発明および添付の請求項の範囲の範囲内にあると見なされる。
【図１】
2010520653.tif 000003
【図２】
2010520653.tif 000004
【図３】
2010520653.tif 000005
【図４】
2010520653.tif 000006
【図５】
2010520653.tif 000007
【図６】
2010520653.tif 000008
【図７】
2010520653.tif 000009
【図８】
2010520653.tif 000010
【図９】
2010520653.tif 000011
【図１０】
2010520653.tif 000012
【図１１】
2010520653.tif 000013
【図１２】
2010520653.tif 000014
【図１３】
2010520653.tif 000015
【図１４】
2010520653.tif 000016
【国際調査報告】
2010520653.tif 000017
2010520653.tif 000018